(57)【要約】【課題】管路内凹部の水溜まりの除去や管路内面の付着物の除去も容易に行える管路内清掃方法を得る。【解決手段】清掃すべき管路２内に、該管路２の内壁面との間に隙間５を形成し且つ管路２内を移動可能な大きさを有する固体６を移動可能に配置し、清掃すべき側の前記管路２内を真空引きして負圧にし、固体６と管路２の内壁面との間の隙間５を通り管路２の大気圧側から負圧側となる清掃すべき側の管路２内に急激に流れる空気により前記管路２内を清掃しつつ前記固体６を管路２の負圧側へ吸引移動させて、清掃すべき前記管路２内を清掃する。【選択図】　図２
2004136218.tif 000002
【特許請求の範囲】
【請求項１】
清掃すべき管路内に、該管路の内壁面との間に隙間を形成し且つ管路内を移動可能な大きさ有する固体を移動可能に配置し、清掃すべき側の前記管路内を真空引きして負圧にし、固体と管路の内壁面との間の隙間を通り管路の大気圧側から負圧側となる清掃すべき側の管路内に急激に流れる空気により前記管路内を清掃しつつ前記固体を管路の負圧側へ吸引移動させて、清掃すべき前記管路内を清掃することを特徴とする管路内清掃方法。
【発明の詳細な説明】
【０００１】
【発明の属する技術分野】
本発明は、管路内を清掃する管路内清掃方法であって、特に地中に埋設された管路内の清掃に適した管路内清掃方法に関するものである。
【０００２】
【従来の技術】
地中に埋設された管体が老朽化し、また腐食や地震等により亀裂や破損が生じ、また、継手部がずれて、管路内に水や土砂等が侵入するような状況となったとき、速やかに管路を補修する必要がある。かかる管路の補修として、一般に、埋設箇所を開削し、管路を露出させて破損個所等を補修し、或いは新しい管体と交換する、といった方法が取られているが、この方法は、工事が面倒で、また作業時間もかかるといった問題があった。
【０００３】
そこで、近年、非開削による管路の補修方法が提案されている（例えば、特許文献１参照。）。この補修方法として熱硬化性樹脂を含浸させたライニング材を管路内に配置し、このライニング材内に水圧をかけ膨らませて管路の内壁面に押し付け、ライニング材内の水を加熱し循環させて熱硬化性樹脂を硬化させてライニングするものである。
【０００４】
管路内にライニング材を配置する方法としては、ライニング材をその先端側で引っ張って引き込む工法と、ライニング材を管路内に挿入する側から該ライニング材を反転させながら前進させて引き込む工法とが知られている。
【０００５】
このような管路内にライニング材を配置するといった非開削による管路の補修を行うに際しては、管路内に突起が突設していたり、土砂等が堆積していたり、また凹部に水が溜まっていると、このままの状態でライニングしたとき、突起、土砂等の堆積物、水溜まりがライニング後の管径を小さくするといった障害となるので、これらを排除する清掃作業が必要となる。管路内の清掃にあっては、例えば、管路内にＴＶカメラを挿入して管路内の状態を把握し、管路内に高圧の水を送り込み、突起や土砂等の堆積物を排除するといたことが行われている。
【０００６】
【特許文献１】
特開平１０−１８０８７１号公報
【０００７】
【発明が解決しようとする課題】
しかしながら、管路内から細かな土砂等を確実に排除することは難しく、特に、管路の凹んだ所に溜まっている水を排除することは極めて困難であるといった問題があった。
【０００８】
本発明の目的は、管路内凹部の水溜まりの排除や管路内面の付着物の排除をも容易に行える管路内清掃方法を提供することにある。
【０００９】
【課題を解決するための手段】
本発明に係る管路内清掃方法は、清掃すべき管路内に、該管路の内壁面との間に隙間を形成し且つ管路内を移動可能な大きさ有する固体を移動可能に配置し、清掃すべき側の前記管路内を真空引きして負圧にし、固体と管路の内壁面との間の隙間を通り管路の大気圧側から負圧側となる清掃すべき側の管路内に急激に流れる空気により前記管路内を清掃しつつ前記固体を管路の負圧側へ吸引移動させて、清掃すべき前記管路内を清掃することを特徴とする。
【００１０】
このように清掃すべき管路内に、該管路の内壁面との間に隙間を形成し且つ管路内を移動可能な大きさ有する固体を移動可能に配置し、清掃すべき側の前記管路内を真空引きして負圧にすることにより、管路の大気圧側の空気が固体と管路の内壁面との間の隙間を通り負圧側となる清掃すべき側の管路内に急激に流れ、該空気が清掃すべき側の管路の内壁面の付着物や凹部に溜まっている水等を吸引方向に吹き飛ばし、そして、前記真空引きにより負圧側に移動する前記固体の移動につれて清掃すべき側の管路内の内壁面の付着物や凹部に溜まっている水等を順次吹き飛ばすことにより、清掃すべき管路内を清掃することができる。
【００１１】
【発明の実施の形態】
以下、本発明に係る管路内清掃方法の実施の形態の一例を図面により説明する。図１は地中に埋設された管路の清掃工程を示す縦断面図、図２は清掃状態を示す説明図である。
【００１２】
図１において、地面１の地中に管路２が埋設され、所定間隔で垂直に立設するマンホール３，４で区切られている。隣接する１方のマンホール３から、清掃すべき管路２の一方の開口部内に、該管路２の内壁面との間に隙間５を形成し且つ管路２内を移動可能な大きさ有する固体６を移動可能に配置する。
【００１３】
前記固体６と管路２の内周面との間の隙間５は、後述する真空引きにより、該隙間５を通る空気が管路２の内壁面の付着物や凹部に溜まっている水等を吹き飛ばすに必要な風力が得られる間隔に設定されている。
【００１４】
前記固体６にあっては、その大きさ及び形状は、前記のように、管路２の内周面との間の隙間５の設定された間隔が得られ且つ管路２内を移動可能な大きさ及び形状であれば特に限定されるものではない。本例では、固体６の形状は球状体となっているが、図３に示すように円柱状体であってもよく、また図４，図５に示すように多角柱状体であってもよい。
【００１５】
また、固体６は、容易に変形せず、且つ後述する真空引きにより管路２内を移動できるものであれば、その材質に特に限定されるものではないが、ゴム製或いは樹脂製が製造や取り扱いの面から好ましい。また、固体６の重量は、後述する真空引きされたとき、管路２内を所定の速度以下で移動できる重量に設定されている。
【００１６】
また、清掃すべき側の管路２の他方の開口部は蓋体７で密閉する。管路２の他方の開口部側のマンホール４が立設されている地面１上には、真空ポンプを備えた真空引き装置８を設置する。この真空引き装置８と清掃すべき側の管路２内を真空引きホース９で接続する。真空引きホース９は、蓋体７を貫通して管路２内に挿入されている。また、前記真空引き装置８は、真空引きホース９を介して真空引きすることにより吸引した清掃すべき側の管路２内の付着物等を収容する収容部（図示せず）を備えている。
【００１７】
この真空引き装置８による真空引きの真空圧は、前記固体６と管路２の内周面との間の隙間５を通る空気が管路２の内壁面の付着物や凹部に溜まっている水等を吹き飛ばすに必要な風力が得られ、且つ固体６が管路２内を所定の速度以下で移動するように設定されている。ここで、固体６が管路２内を移動する所定の速度とは、前記管路２の内壁面の付着物や凹部に溜まっている水等を残すことなく確実に吹き飛ばすのに必要な速度である。
【００１８】
本発明では前記のように、固体６と管路２の内周面との間の隙間５を通る空気が管路２の内壁面の付着物や凹部に溜まっている水等を吹き飛ばすに必要な風力を有し、且つ固体６が管路２内を、前記管路２の内壁面の付着物や凹部に溜まっている水等を残すことなく確実に吹き飛ばすのに必要な所定の速度以下で移動することが重要である。このことは、前記固体６と管路２の内周面との間に形成される隙間５の間隔（固体６の大きさ）、固体６の重さ、真空引き装置８による真空引きの真空圧、によって決定される。
【００１９】
このようにして、真空引き装置８を駆動して清掃すべき側の管路２内を真空引きすると、該清掃すべき側の管路２内が負圧となり、管路２の大気圧側の空気が固体６と管路２の内壁面との間の隙間５を通り負圧側となる清掃すべき側の管路２内に急激に流れ、該空気が清掃すべき側の管路２の内壁面の付着物や凹部に溜まっている水等を吸引方向に吹き飛ばす（図２）。
【００２０】
そして、前記真空引きにより負圧側に移動する前記固体６の移動につれて清掃すべき側の管路２内の内壁面の付着物や凹部に溜まっている水等が順次吹き飛ばされることにより、清掃すべき管路２内が清掃される。前記吹き飛ばされた付着物や水等は、真空引きホース９から真空引き装置８に備えてある収容部に収容される。
【００２１】
なお、本例では地中に埋設された管路の清掃について説明したが、本発明に係る管路内清掃方法による清掃の対象となる管路は、地中に埋設された管路以外の管路も含まれることはもちろんである。
【００２２】
【発明の効果】
以上のように、本発明に係る管路内清掃方法によれば、清掃すべき管路内に、該管路の内壁面との間に隙間を形成し且つ管路内を移動可能な大きさ有する固体を移動可能に配置し、清掃すべき側の前記管路内を真空引きして負圧にすることにより、管路の大気圧側の空気が固体と管路の内壁面との間の隙間を通り負圧側となる清掃すべき側の管路内に急激に流れ、該空気が清掃すべき側の管路の内壁面の付着物や凹部に溜まっている水等を吸引方向に吹き飛ばし、そして、前記真空引きにより負圧側に移動する前記固体の移動につれて清掃すべき側の管路内の内壁面の付着物や凹部に溜まっている水等を順次吹き飛ばすことにより、清掃すべき管路内を容易に且つ確実に清掃することができ、この後、前記管路の補修として、管路内にライニング材を配置してライニングしたとき、ライニング後の予定の管径を確保することができるものとなる。
【図面の簡単な説明】
【図１】本発明に係る管路内清掃方法の実施の形態の一例で、地中に埋設された管路の清掃工程を示す縦断面図である。
【図２】管路内の清掃状態を示す説明図である。
【図３】管路内を移動する固体の他例を示す説明図である。
【図４】管路内を移動する固体の他例を示す説明図である。
【図５】管路内を移動する固体の他例を示す説明図である。
【符号の説明】
１　地面
２　管路
３，４　マンホール
５　隙間
６　固体
７　蓋体
８　真空引き装置
９　真空引きホース
【図１】
2004136218.tif 000003
【図２】
2004136218.tif 000004
【図３】
2004136218.tif 000005
【図４】
2004136218.tif 000006
【図５】
2004136218.tif 000007